(57)【要約】冷陰極管１５が収容されるシャーシ１３と、冷陰極管１５から発せられる光の出射側に配される面状の光学部材１６と、シャーシ１３に取り付けられて光学部材１６を冷陰極管１５側から支持可能な支持部２７とを備え、支持部２７は、光学部材１６の面に対して点状をなし、その面内に複数分散して配置されるとともに、光学部材１６に対する支持高さが異なる低位支持部２７Ｌと高位支持部２７Ｈとを含んでおり、低位支持部２７Ｌが光学部材１６の中央側に、高位支持部２７Ｈが光学部材１６の端側に設置されている。
2008129724.tif 000002
【特許請求の範囲】
【請求項１】
画像を表示する表示パネルに光を照射する光源が収容されるシャーシと、光源から発せられる光の出射側に配される面状の光学部材と、前記シャーシに取り付けられて前記光学部材を前記光源側から支持可能な支持部とを備え、
前記支持部は、前記光学部材の面に対して点状をなし、その面内に複数分散して配置されるとともに、前記光学部材に対する支持高さが異なる低位支持部と高位支持部とを含んでおり、前記低位支持部が前記光学部材の中央側に、前記高位支持部が前記光学部材の端側に設置されている表示装置用照明装置。
【請求項２】
前記支持部は、前記光学部材の中央側から端側に行くに従って前記光学部材に対する支持高さが段階的に増加する設定とされている請求の範囲第１項記載の表示装置用照明装置。
【請求項３】
前記支持部は、ジグザグ状に配置されている請求の範囲第１項または請求の範囲第２項記載の表示装置用照明装置。
【請求項４】
前記光学部材が矩形状をなすものにおいて、前記支持部は、前記光学部材の短辺方向に沿って直線的に並んで配置されている請求の範囲第１項ないし請求の範囲第３項のいずれか１項に記載の表示装置用照明装置。
【請求項５】
前記光学部材が矩形状をなすものにおいて、前記支持部は、前記光学部材の長辺方向に沿って直線的に並んで配置されている請求の範囲第１項ないし請求の範囲第４項のいずれか１項に記載の表示装置用照明装置。
【請求項６】
前記支持部のうち、最も前記光学部材の端寄りに設置された支持部と、その支持部と隣り合う支持部とにおける前記光学部材に対する支持高さが同じに設定されている請求の範囲第１項ないし請求の範囲第５項のいずれか１項に記載の表示装置用照明装置。
【請求項７】
前記支持部は、先細り状に形成されている請求の範囲第１項ないし請求の範囲第６項のいずれか１項に記載の表示装置用照明装置。
【請求項８】
前記支持部は、表面が白色系の色とされている請求の範囲第１項ないし請求の範囲第７項のいずれか１項に記載の表示装置用照明装置。
【請求項９】
前記支持部は、前記シャーシに取り付けられる取付板を備え、この取付板には、前記光源を把持可能な光源把持部が、前記支持部の側方位置に設けられている請求の範囲第１項ないし請求の範囲第８項のいずれか１項に記載の表示装置用照明装置。
【請求項１０】
前記光学部材には、前記光源が点灯するのに伴い、前記光源側へ反り変形するよう予反り処理がなされている請求の範囲第１項ないし請求の範囲第９項のいずれか１項に記載の表示装置用照明装置。
【請求項１１】
前記予反り処理は、前記光学部材の基材のうち前記光源側とは反対側の面を加熱処理したものである請求の範囲第１０項記載の表示装置用照明装置。
【請求項１２】
前記予反り処理は、前記光学部材の基材のうち前記光源側の面と反対側の面とのいずれか一方に対してビーズからなる予反り処理層を塗布により形成したものであり、その予反り処理層と前記基材のうち、前記光源側に配されるものの線膨張係数が、その反対側に配されるものの線膨張係数よりも大きくなる設定としたものである請求の範囲第１０項記載の表示装置用照明装置。
【請求項１３】
前記予反り処理は、前記光学部材の基材のうち前記光源側の面と反対側の面とのいずれか一方に対してシート材からなる予反り処理層を貼り付けて形成したものであり、その予反り処理層と前記基材のうち、前記光源側に配されるものの線膨張係数が、その反対側に配されるものの線膨張係数よりも大きくなる設定としたものである請求の範囲第１０項記載の表示装置用照明装置。
【請求項１４】
請求の範囲第１項ないし請求の範囲第１３項のいずれか１項に記載の表示装置用照明装置と、この表示装置用照明装置の表側に配される表示パネルとからなる表示装置。
【請求項１５】
前記表示パネルは、一対の基板間に液晶を封入してなる液晶パネルとされる請求の範囲第１４項記載の表示装置。
【請求項１６】
請求の範囲第１４項または請求の範囲第１５項に記載された表示装置を備えるテレビ受信装置。
【発明の詳細な説明】
【技術分野】
【０００１】
本発明は、表示装置用照明装置、表示装置、及びテレビ受信装置に関する。
【背景技術】
【０００２】
液晶表示装置は、液晶パネルと、液晶パネルの背面側に設置されるバックライトとから構成される。このうち、バックライトは、冷陰極管などの光源が収容されるとともに光の出射側の面が開口するシャーシと、シャーシの開口部分に設置されるとともに光源から発せられる光を均一な面状に変換するなどの機能を持つ光学部材とを備える。【０００３】
光学部材には、所定の厚みを持った透明な基材中に、拡散粒子を多数分散して含有させた構成の拡散板が含まれており、その外周端部がシャーシ側の受け部によって受けられて支持がなされる。一方、拡散板のうち外周端部よりも内側の部分については、シャーシに取り付けられた支持部品によって支持される。【０００４】
この種の支持部品の一例として下記特許文献１に記載されたものが知られている。このものは、拡散板側へ突出する支持ピンを有しており、この支持ピンの先端部が拡散板の外周端部よりも内側部分に点状に当接することで、拡散板の支持がなされる。支持ピンは、拡散板に対する面方向の支持位置が異なるよう複数分布して配置されている。【０００５】
一方、光源として面発光フラットランプを用いたものにおける支持部品の一例として下記特許文献２に記載されたものがある。このものは、頂点が一方向に延びる線状をなす支持部を有しており、拡散板を線状に支持する構造となっている。
【特許文献１】特開２００４−２１９８３８公報
【特許文献２】特開２００５−２０３１６４公報
【０００６】
（発明が解決しようとする課題）
ところで、上記した拡散板は、光源が点灯し、シャーシ内の温度が上昇するのに伴って、光源側へ弓形に反り変形する場合がある。ところが、上記した特許文献１に記載の支持ピンは、全て同じ高さとされているため、拡散板は、各支持ピンによる支持位置を支点として光源側へ波状に撓む可能性がある。そうなると、波状の撓み部分によって液晶表示装置の表示品質が著しく低下するという問題が生じるおそれがある。【０００７】
一方、特許文献２に記載の支持部は、拡散板を線状に支持しているので、支持部の延び方向に関しては、上記したような拡散板の撓みが生じ難くなっている。しかし、この支持部は、全長にわたって一定の高さに形成されているため、光源側へ反り変形しようとする拡散板によって支持部が押され、軋み音が発生するなどの不具合が生じる可能性があった。
【発明の開示】
【０００８】
本発明は上記のような事情に基づいて完成されたものであって、光学部材を適切に支持することを目的とする。
【０００９】
（課題を解決するための手段）
本発明は、画像を表示する表示パネルに光を照射する光源が収容されるシャーシと、光源から発せられる光の出射側に配される面状の光学部材と、前記シャーシに取り付けられて前記光学部材を前記光源側から支持可能な支持部とを備え、前記支持部は、前記光学部材の面に対して点状をなし、その面内に複数分散して配置されるとともに、前記光学部材に対する支持高さが異なる低位支持部と高位支持部とを含んでおり、前記低位支持部が前記光学部材の中央側に、前記高位支持部が前記光学部材の端側に設置されている。
【００１０】
光源の点灯などに伴い、光学部材が光源側に反るようにして変形した場合、光学部材は、端側から中央側にかけて低くなる形状となる。ここで、光学部材の面に対して点状をなし、その面内に複数分散して配される支持部には、互いに支持高さが異なる低位支持部と高位支持部とが含まれ、光学部材の中央側が低位支持部により、端側が高位支持部により支持されるから、光学部材をその反り形状に適合した位置で支持することができる。これにより、光学部材の反り変形を許容しつつ光学部材に撓みが生じ難い状態で支持することができる。
【００１１】
本発明の実施態様として、次の構成が好ましい。
（１）前記支持部は、前記光学部材の中央側から端側に行くに従って前記光学部材に対する支持高さが段階的に増加する設定とされる。このようにすれば、反り変形した光学部材をより適切な支持高さでもって支持することができる。
【００１２】
（２）前記支持部は、ジグザグ状に配置される構成とする。このようにすれば、光学部材の面内において支持部を効率的に分散させることができるので、光学部材をより適切に支持することが可能となる。
【００１３】
（３）前記光学部材が矩形状をなすものにおいて、前記支持部は、前記光学部材の短辺方向に沿って直線的に並んで配置される構成とする。このようにすれば、光学部材をその短辺方向に沿って直線的に並んだ支持部によって良好に支持することができる。
【００１４】
（４）前記光学部材が矩形状をなすものにおいて、前記支持部は、前記光学部材の長辺方向に沿って直線的に並んで配置される構成とする。このようにすれば、光学部材をその長辺方向に沿って直線的に並んだ支持部によって良好に支持することができる。
【００１５】
（５）前記支持部のうち、最も前記光学部材の端寄りに設置された支持部と、その支持部と隣り合う支持部とにおける前記光学部材に対する支持高さが同じに設定される構成とする。このようにすれば、同じ支持高さの支持部の数が増えるので、製造コストの低減を図ることができる。また光学部材は、中央側と比べて端側では反り度合いが小さくなる傾向にあるから、光学部材の端側において支持高さが同じ支持部が隣り合って設置されていても、良好に光学部材を支持することができる。
【００１６】
（６）前記支持部は、先細り状に形成される構成とする。このようにすれば、支持部によって光源から発せられる光が妨げられるのを回避することができる。
【００１７】
（７）前記支持部は、表面が白色系の色とされる構成とする。このようにすれば、光源から発せられた光が支持部の表面にて反射されるので、光の利用効率が良好なものとなる。
【００１８】
（８）前記支持部は、前記シャーシに取り付けられる取付板を備え、この取付板には、前記光源を把持可能な光源把持部が、前記支持部の側方位置に設けられる構成とする。このようにすれば、支持部に光源を把持する機能を併せ持たせることができる。
【００１９】
（９）前記光学部材には、前記光源が点灯するのに伴い、前記光源側へ反り変形するよう予反り処理がなされる構成とする。このようにすれば、光学部材が逆向きに反り変形することがないので、支持部によって確実に光学部材を支持することができる。
【００２０】
（１０）前記予反り処理は、前記光学部材の基材のうち前記光源側とは反対側の面を加熱処理したものとする。このようにすれば、光学部材に他の部材を付加することなく予反り処理を行うことができる。
【００２１】
（１１）前記予反り処理は、前記光学部材の基材のうち前記光源側の面と反対側の面とのいずれか一方に対してビーズからなる予反り処理層を塗布により形成したものであり、その予反り処理層と前記基材のうち、前記光源側に配されるものの線膨張係数が、その反対側に配されるものの線膨張係数よりも大きくなる設定としたものとする。このようにすれば、光源を点灯させたとき、ビーズからなる予反り処理層によって光学部材が確実に光源側へ反り変形する。
【００２２】
（１２）前記予反り処理は、前記光学部材の基材のうち前記光源側の面と反対側の面とのいずれか一方に対してシート材からなる予反り処理層を貼り付けて形成したものであり、その予反り処理層と前記基材のうち、前記光源側に配されるものの線膨張係数が、その反対側に配されるものの線膨張係数よりも大きくなる設定としたものとする。このようにすれば、光源を点灯させたとき、シート材からなる予反り処理層によって光学部材が確実に光源側へ反り変形する。
【００２３】
（発明の効果）
本発明によれば、光学部材を適切に支持することができる。
【図面の簡単な説明】
【００２４】
【図１】本発明の実施形態１に係るテレビ受信装置の概略を表す分解図
【図２】バックライトの平面図
【図３】図２のIII−III線断面図
【図４】図２のIV−IV線断面図
【図５】図２のV−V線断面図
【図６】図２のVI−VI線断面図
【図７】光学部材の長辺方向に並んだ支持部における対称軸Ｌ１からの距離と支持高さとの関係を表すグラフ
【図８】光学部材の短辺方向に並んだ支持部における対称軸Ｌ２からの距離と支持高さとの関係を表すグラフ
【図９】拡散板が反り変形した状態を表す図２のIII−III線断面図
【図１０】拡散板が反り変形した状態を表す図２のIV−IV線断面図
【図１１】拡散板が反り変形した状態を表す図２のV−V線断面図
【図１２】拡散板が反り変形した状態を表す図２のVI−VI線断面図
【図１３】本発明の実施形態２に係る液晶表示装置の断面図
【図１４】拡散板が反り変形した状態を表す断面図
【図１５】他の実施形態（１５）に係る拡散板の部分側面図
【図１６】他の実施形態（１６）に係る拡散板の部分側面図
【符号の説明】
【００２５】
１０…バックライト（表示装置用照明装置）、１１…液晶パネル（表示パネル）、１３…シャーシ、１５…冷陰極管（光源）、１６…光学部材、１６Ａ…拡散板（光学部材）、２０…支持部品、２４…取付板、２６…光源把持部、２７…支持部、２７Ｈ…高位支持部、２７Ｌ…低位支持部、Ｄ…液晶表示装置（表示装置）、ＴＶ…テレビ受信装置
【発明を実施するための最良の形態】
【００２６】
＜実施形態１＞
本発明の実施形態１を図１ないし図１２によって説明する。この実施形態１では、表示装置として液晶表示装置Ｄについて例示する。【００２７】
液晶表示装置Ｄは、全体として横長の方形をなし、図３に示すように、表示パネルである液晶パネル１１と、液晶パネル１１の外部光源（照明装置）であるバックライト１０とを表側から被せたベゼル１２により組み付け状態に保持した構成とされる。液晶パネル１１はバックライト１０の正面側に配置され、バックライト１０は背面側から液晶パネル１１を照射する。この液晶表示装置Ｄは、テレビ受信装置ＴＶに適用することができる。テレビ受信装置ＴＶは、図１に示すように、液晶表示装置Ｄと、液晶表示装置Ｄを挟むようにして収容する表裏両キャビネットＣａ，Ｃｂと、電源Ｐと、チューナーＴと、スタンドＳとを備えて構成される。【００２８】
液晶パネル１１は、図３に示すように、透明なＴＦＴ基板と透明なＣＦ基板との隙間に、電圧印加に伴って光学特性が変化する物質である液晶を封入した周知構造のものであり、ＴＦＴ基板には、互いに直交するソース配線とゲート配線とに接続されたスイッチング素子としてのＴＦＴ（Thin Film Transistor）が設けられ、ＣＦ基板には、赤（Ｒ），緑（Ｇ），青（Ｂ）の３色のカラーフィルタがマトリックス状に配置されている。また、両基板の液晶側とは反対側の面には、それぞれ偏光板が貼り付けられている。【００２９】
バックライト１０は、いわゆる直下型であり、光の出射側である表側（図３及び図５に示す上方、正面側）の面が開口したシャーシ１３と、シャーシ１３内に敷設される反射シート１４と、シャーシ１３内に収容される複数本の冷陰極管１５と、シャーシ１３の開口部分、つまり冷陰極管１５から発せられる光の出射側に配される光学部材１６と、光学部材１６を位置決め可能な位置決め部材（後述するランプホルダ１７、ホルダ１８、及びフレーム１９）と、冷陰極管１５及び光学部材１６を支持可能な複数の支持部品２０（ランプクリップ）とを備える。【００３０】
シャーシ１３は、金属製とされ、図２に示すように、表側の面が開口した平面視矩形の浅い略箱型に形成されている。反射シート１４は、合成樹脂製とされ、表面が反射性に優れた白色などの白色系の色とされており、図３に示すように、シャーシ１３の内面に沿ってそのほぼ全域を覆いつつ敷かれている。この反射シート１４により、各冷陰極管１５から発せられる光をシャーシ１３の開口部分側へと導くことができる。【００３１】
冷陰極管１５は、シャーシ１３の底板１３ａや光学部材１６の面方向に沿って一方向に延びる細長い線状光源の一種であり、その軸方向をシャーシ１３の長辺方向と一致させた姿勢でシャーシ１３内に取り付けられている。冷陰極管１５は、複数本が互いの軸を略平行にし、且つ互いの間に所定の間隔を空けた状態で並べられている。隣り合う冷陰極管１５間の間隔（ピッチ、距離）に関して詳しく説明すると、図２及び図５に示すように、シャーシ１３や光学部材１６の短辺方向について中央に配される冷陰極管１５間の間隔が最も小さく、そこから端側に行くに連れて次第に上記間隔が大きくなる設定とされている。言い換えると、シャーシ１３における冷陰極管１５の設置密度は、画面中央側ほど高く、画面端側に行くに連れて次第に低くなる。冷陰極管１５は、シャーシ１３における短辺方向の中央位置の対称軸Ｌ１を中心として対称に配置されている。【００３２】
なお、冷陰極管１５は、細長い断面円形状のガラス管内に水銀などが封入されるとともにその内壁面に蛍光体が塗布され、且つ両端部に電極が封入された構成とされる。また、各冷陰極管１５の両端の非発光部には、シャーシ１３に取り付けられるゴムホルダ２１がそれぞれ嵌着されている。【００３３】
光学部材１６は、図３及び図５に示すように、シャーシ１３や液晶パネル１１と同様に平面視矩形状をなし、透光性を有する合成樹脂製とされるとともに、シャーシ１３の開口部分に取り付けられることで、冷陰極管１５群と液晶パネル１１との間に介在する。光学部材１６は、裏側（図３及び図５に示す下側、背面側）から順に積層された拡散板１６Ａ、拡散シート１６Ｂ、レンズシート１６Ｃ、及び輝度上昇シート１６Ｄにより構成されており、線状光源である各冷陰極管１５から発せられる光を均一な面状の光に変換するなどの機能を有する。このうち、最も裏側に配される拡散板１６Ａは、他の各シート１６Ｂ〜１６Ｄよりも厚さ寸法が十分に大きく、比較的高い剛性が得られている。拡散板１６Ａは、所定の厚みを持った透明な基材中に、拡散粒子を多数分散して含有させることで、全体として半透明とされる。【００３４】
ところで、上記した拡散板１６Ａは、周囲の温度環境などの影響により反り変形する場合がある。その場合、反り変形した拡散板１６Ａに追従して各シート１６Ｂ〜１６Ｄも変形するのであるが、そのとき仮に光学部材１６が液晶パネル１１側に反り変形すると、光学部材１６が液晶パネル１１の中央部を押圧してしまい表示不良が発生するという問題がある。そこで、この拡散板１６Ａには、冷陰極管１５側に反るような反り癖を持つよう、いわゆる予反り処理が施されている。予反り処理は、拡散板１６Ａを製造する工程において、基材が上下のローラ間を通過する際に、その表側（冷陰極管１５側とは反対側）の面のみを加熱することでなされる。これにより、拡散板１６Ａは、加熱された側の面が凹状に（外周端部１６ｂに対して中央側が裏側（冷陰極管１５側）に引っ込むような形状に）変形するような反り癖を持つことになる。【００３５】
位置決め部材は、光学部材１６の外周端部１６ｂを裏側で受ける枠形の受け部材を構成するランプホルダ１７及びホルダ１８と、光学部材１６の外周端部１６ｂを表側から押さえる枠形の押さえ部材を構成するフレーム１９とからなる。【００３６】
ランプホルダ１７は、表面が白色などの白色系の色の合成樹脂製とされ、図２及び図３に示すように、シャーシ１３の長辺方向の両端位置に一対取り付けられるとともに、シャーシ１３の短辺方向に沿って延びる形態とされている。ランプホルダ１７は、裏面側が開口した略箱型をなしており、各冷陰極管１５に装着された各ゴムホルダ２１を表側から一括して覆うことができるようになっている。ランプホルダ１７の表側の面における内周端部には、光学部材１６を受けることが可能な受け部２２が段付き状に凹んで形成されている。【００３７】
ホルダ１８は、表面が白色などの白色系の色の合成樹脂製とされ、図２及び図５に示すように、シャーシ１３の短辺方向の両端位置に一対取り付けられるとともに、シャーシ１３の長辺方向に沿って延びる形態とされている。ホルダ１８の表側の面における内周端部には、ランプホルダ１７と同様に光学部材１６用の受け部２３が段付き状に凹んで形成されている。【００３８】
フレーム１９は、金属製で枠形に形成されるとともに、図３及び図５に示すように、光学部材１６の外周端部１６ｂを表側からほぼ全周にわたって押さえることができるようになっている。フレーム１９は、その内周端部に光学部材１６の板面に対向する押さえ面を有している。押さえ面は、組み付け状態において、最も表側の輝度上昇シート１６Ｄの表側の板面に対して僅かにクリアランスを空けた位置に配されるようになっており、これにより光学部材１６が熱膨張したり熱収縮するのが許容される。【００３９】
支持部品２０は、合成樹脂製とされ、全体の表面が光の反射性に優れた白色などの白色系の色とされている。支持部品２０は、図２及び図５に示すように、シャーシ１３の底板１３ａに沿った取付板２４と、取付板２４から裏側へ突出する係止部２５と、取付板２４から表側（光学部材１６側）へ突出する光源把持部２６と、取付板２４から光源把持部２６と同様に表側へ突出する支持部２７とから構成される。【００４０】
取付板２４は、シャーシ１３の短辺方向に沿って延びる細長い板状をなしている。取付板２４の裏側の面には、シャーシ１３に設けられた取付孔に通されるとともに、その裏側の孔縁に対して係止可能な係止部２５が一対設けられている。これにより、支持部品２０がシャーシ１３に対して取付状態に保持されるようになっている。なお図３、図４、図９及び図１０では、係止部２５の図示を省略している。【００４１】
一方、取付板２４における表側の面からは、冷陰極管１５を把持可能な光源把持部２６が一対設けられている。両光源把持部２６は、シャーシ１３の底板１３ａの面方向について上記した両係止部２５とほぼ同じ位置に配されている。光源把持部２６は、表側を向いた部分が開口した断面略Ｃ字型をなしており、冷陰極管１５が表側の開口部分を通して取り付けられるようになっている。光源把持部２６は、冷陰極管１５の着脱に伴って弾性変形可能とされる。これにより、各冷陰極管１５がシャーシ１３の底板１３ａから所定高さ浮いた位置に支持されるようになっている。なお、各支持部品２０における取付板２４の長さ寸法や光源把持部２６の設置位置は、既述したシャーシ１３に対する冷陰極管１５の取付位置に対応した位置とされる。【００４２】
支持部２７は、取付板２４における表側の面における両光源把持部２６間に設けられている。支持部２７の設置位置は、取付板２４の中心位置で且つ両光源把持部２６間の中央位置とされる。支持部２７の突出高さは、光源把持部２６よりも高くなるよう設定されている。支持部２７は、拡散板１６Ａの面方向に沿って切断した断面形状が円形とされ、基端から突出端側にかけて次第に径寸法が小さくなる、先細り状に形成されている。つまり、支持部２７は全体として円錐型のピン状をなしている。従って、冷陰極管１５から発せられる支持部２７によって妨げられる事態が回避されるようになっている。【００４３】
支持部２７は、その先端部が拡散板１６Ａに対して接触することで、拡散板１６Ａを所定の高さ位置に支持することができる。この支持部２７は、拡散板１６Ａの面に対して略点状をなしている。なお、支持部２７は全て中実構造となっており、全体が弾性変形不能な固定部位（ほぼ剛体）となっている。従って、支持部２７における拡散板１６Ａに対する上下方向（拡散板１６Ａ（光学部材１６）の面方向と直交する方向）についての支持位置、つまり支持高さが一定で不変となっている。【００４４】
上記した構成の支持部品２０は、シャーシ１３の底板１３ａにおいて次のように配置されている。すなわち、各支持部品２０は、図２に示すように、シャーシ１３の短辺方向に沿って直線的に並ぶ列状に配置され、その列がシャーシ１３の長辺方向について所定の間隔を空けた位置に複数配置される。上記支持部品２０の列は、シャーシ１３における長辺方向の中央の対称軸Ｌ２を境に図２に示す左右３列ずつに分かれてそれらの列群が対称に配されている。そして、左右に分かれた支持部品２０の列群においては、中央の列の支持部品２０が、その両側の列の支持部品２０に対してシャーシ１３の短辺方向にずれた位置に配されている。つまり、左右の列群において支持部品２０は、ジグザグ状（互い違い、千鳥状）に配置されている。従って、各支持部品２０の中心位置に設けられた支持部２７についても、同様に拡散板１６Ａの面内においてジグザグ状に分散して配置されるとともに、対称軸Ｌ２を中心に対称配置されている。【００４５】
また、支持部品２０がシャーシ１３に取り付けられた状態では、両光源把持部２６が冷陰極管１５の取付位置に配されるとともに、支持部２７が隣り合う冷陰極管１５間に配される。このとき、支持部２７は、隣り合う冷陰極管１５間の中央位置に配される。【００４６】
そして、各支持部品２０における支持部２７は、図３ないし図６に示すように、そのシャーシ１３への取付位置に応じて拡散板１６Ａに対する支持高さが異なる設定とされている。すなわち、各支持部２７は、シャーシ１３の底板１３ａ、つまり拡散板１６Ａにおける中央側に配されるものほど取付板２４からの突出高さが低く、端側に配されるものほど同突出高さが高くなるように形成されている。【００４７】
詳しくは、各支持部２７のうち、拡散板１６Ａの長辺方向及び短辺方向について最も端側に位置する、言い換えると矩形状の拡散板１６Ａにおける４箇所の角部に最も近い４つの支持部２７は、図４及び図６に示すように、高さ寸法が最も高く設定されている。これらの支持部２７は、拡散板１６Ａに対する支持高さが他の支持部と比較して最も高位な高位支持部２７Ｈとなっている。一方、各支持部２７のうち、拡散板１６Ａの長辺方向及び短辺方向について最も中央側に位置する、言い換えると拡散板１６Ａの中心位置からの距離が最も短い位置に配された４つの支持部２７は、図３及び図５に示すように、高さ寸法が最も低く設定されている。これらの支持部２７は、拡散板１６Ａに対する支持高さが他の支持部２７と比較して最も低位な低位支持部２７Ｌとなっている。【００４８】
上記した高位支持部２７Ｈ及び低位支持部２７Ｌ以外の支持部２７の高さ寸法は、拡散板１６Ａの長辺方向及び短辺方向について端側から中央側に行くに従って段階的に低くなるよう設定されている。言い換えると、支持部２７の高さ寸法は、最も端寄りの高位支持部２７Ｈからの距離が大きくなるほど低くなり、逆に最も中央寄りの低位支持部２７Ｌからの距離が大きくなるほど高くなる。従って、既述した最も高位な高位支持部２７Ｈ及び最も低位な低位支持部２７Ｌ以外の各支持部２７は、支持高さの比較対象をどの支持部２７とするかに応じて、特許請求の範囲に記載した低位支持部とも高位支持部ともなり得る。【００４９】
各支持部２７の先端部同士を結ぶと、側方から見て緩やかな円弧状（弓形）の曲線が得られ、その形状は、拡散板１６Ａの反り形状に適合した形状となっている。つまり、各支持部２７の先端部の高さ位置は、想定される拡散板１６Ａの反り形状に適合した位置に設定されている。【００５０】
詳しくは、拡散板１６Ａの長辺方向に沿って並んだ支持部２７の先端部同士を結んで得られる曲線は、図７に示すように、同長辺方向について中央側の列のもの（図７の下側の曲線）が、端側の列のもの（図７の上側の曲線）よりも全体的に低くなっている。同様に、拡散板１６Ａの短辺方向に沿って並んだ支持部２７の先端部同士を結んで得られる曲線は、図８に示すように、同短辺方向について中央側の列のもの（図８の下側の曲線）が、端側の列のもの（図８の上側の曲線）よりも全体的に低くなっている。なお、拡散板１６Ａの長辺方向及び短辺方向に対して斜め方向に沿って並ぶ支持部２７の先端部同士を結んだ曲線においても同様の傾向となる。【００５１】
支持部２７のうち、最も高位な高位支持部２７Ｈは、図４及び図６に示すように、受け部２２，２３よりも低位に設定されることで、拡散板１６Ａがシャーシ１３の底板１３ａとほぼ平行で真っ直ぐな姿勢、つまり反りが生じていない状態では、拡散板１６Ａの裏側の面に対して所定の隙間を空けた位置に非接触の状態で配される。この状態では、支持部２７の先端部と拡散板１６Ａの裏側の面との間の隙間は、最も低位な低位支持部２７Ｌにおいて最も大きく、高位支持部２７Ｈにおいて最も小さくなっている。従って、光学部材１６は、支持部２７との間に確保された隙間の分だけ反り変形するのが許容されている。つまり、支持部２７は、拡散板１６Ａに反りが生じていない状況では、拡散板１６Ａを支持しておらず、反りが生じたときに始めて拡散板１６Ａを支持するようになっている。【００５２】
一方、支持部２７のうち最も低位な低位支持部２７Ｌは、図３及び図５に示すように、冷陰極管１５よりも高位に設定されている。従って、拡散板１６Ａが最大限まで反り変形したときでも、支持部２７によって支持されることで、拡散板１６Ａは冷陰極管１５に対して所定の隙間を空けた位置に非接触の状態に保たれる。これにより、冷陰極管１５のランプイメージが視る人に視認され難くなっている。【００５３】
上記した構成の液晶表示装置Ｄは、次のようにして製造される。液晶パネル１１及びバックライト１０をそれぞれ製造し、それらをベゼル１２などを用いて互いに組み付けることで、液晶表示装置Ｄが製造される。このうち、バックライト１０は、シャーシ１３内に反射シート１４を敷設した後、各支持部品２０を所定の位置に取り付けてから、両端にゴムホルダ２１を嵌着させた各冷陰極管１５を取り付けると、支持部品２０の光源把持部２６によって冷陰極管１５が所定の高さ位置に弾性的に把持される。【００５４】
その後、ランプホルダ１７及びホルダ１８をシャーシ１３内に取り付けたら、ランプホルダ１７及びホルダ１８の受け部２２，２３に光学部材１６を、拡散板１６Ａ、拡散シート１６Ｂ、レンズシート１６Ｃ、輝度上昇シート１６Ｄの順で載せる。それから、フレーム１９を取り付けることで光学部材１６の位置決めがなされる。【００５５】
上記のようにして製造された液晶表示装置Ｄは、使用時に各冷陰極管１５が点灯されると、冷陰極管１５からの発熱によりシャーシ１３内の温度が上昇する。そして、その温度環境によっては、拡散板１６Ａに反りが生じる可能性がある。その場合でも、拡散板１６Ａの裏側には、所定の隙間を空けて各支持部２７が待ち受けているので、拡散板１６Ａは、長辺方向・短辺方向のいずれの方向についても反り変形するのが許容されている。従って、仮に拡散板１６Ａの反り変形が全く許容されないものと比較すると、軋み音が発生し難くなっている。【００５６】
拡散板１６Ａには、既述したように予反り処理が施されているので、その中央部が冷陰極管１５側に引っ込むような形状に反り変形する。このとき、拡散板１６Ａは、ランプホルダ１７及びホルダ１８の受け部２２，２３に支持された外周端部１６ｂを支点として、それよりも中央側部分１６ａが弓形に反り変形する。拡散板１６Ａが反ると、その表側に積層配置された各シート１６Ｂ〜１６Ｄも拡散板１６Ａに追従して反り変形する。なお、このとき、拡散板１６Ａは長辺方向または短辺方向についてのみ反り変形する場合もあれば、長辺方向・短辺方向のいずれの方向についても反り変形する場合もある。【００５７】
そして、拡散板１６Ａがある程度まで反り変形したところで、各支持部２７の先端部が拡散板１６Ａの裏側の面に対して当接される。ここで、拡散板１６Ａの面内に分散して配置された各支持部２７は、拡散板１６Ａの端側から中央側にかけて次第に先端部の高さ位置が低くなる設定とされているから、拡散板１６Ａを長辺方向について反り形状に適合した高さ位置で支持することができる。【００５８】
詳しくは、拡散板１６Ａに長辺方向について反りが生じたときは、図９及び図１０に示すように、同長辺方向に沿って並んだ各支持部２７における支持高さが端側から中央側にかけて段階的に低くなることで、反り変形した拡散板１６Ａを適切に支持することができる。一方、拡散板１６Ａに短辺方向について反りが生じたときは、図１１及び図１２に示すように、同短辺方向に沿って並んだ各支持部２７における支持高さが端側から中央側にかけて段階的に低くなることで、反り変形した拡散板１６Ａを適切に支持することができる。これにより、拡散板１６Ａが過度に反り変形するのが規制される。【００５９】
しかも、支持部２７のうち最も低位な低位支持部２７Ｌは、冷陰極管１５よりも高位に設定されているから、拡散板１６Ａが冷陰極管１５に接触するような事態が確実に回避されている。また、拡散板１６Ａが最大限まで反り変形した場合でも、冷陰極管１５との間の距離が十分に確保されているので、いわゆるランプイメージが視認されるのが回避される。これにより、液晶表示装置Ｄの表示品質を高く保つことができる。【００６０】
なお、図９ないし図１２では、拡散板１６Ａが最大限に反っていて全ての支持部２７に対して拡散板１６Ａが当接された場合を図示しているが、拡散板１６Ａの反り状況によっては、拡散板１６Ａに対して当接する支持部２７と当接しない支持部２７とが生じる場合もあり、必ずしも図示したように全ての支持部２７が当接するわけではない。【００６１】
以上説明したように本実施形態によれば、支持部２７は、拡散板１６Ａ（光学部材１６）の面に対して点状をなし、その面内に複数分散して配置されるとともに、拡散板１６Ａに対する支持高さが異なる低位支持部２７Ｌと高位支持部２７Ｈとを含んでおり、低位支持部２７Ｌが拡散板１６Ａの中央側に、高位支持部２７Ｈが拡散板１６Ａの端側に配置されているから、拡散板１６Ａをその反り形状に適合した位置で支持することができる。これにより、拡散板１６Ａの反り変形を許容しつつ拡散板１６Ａに撓みが生じ難い状態で支持することができ、もって拡散板１６Ａを適切に支持することができる。【００６２】
また、支持部２７は、拡散板１６Ａの中央側から端側に行くに従って拡散板１６Ａに対する支持高さが段階的に増加する設定とされているから、反り変形した拡散板１６Ａをより適切な支持高さでもって支持することができる。【００６３】
また、支持部２７はジグザグ状に配置されているから、拡散板１６Ａの面内において支持部２７を効率的に分散させることができ、拡散板１６Ａをより適切に支持することができる。【００６４】
また、支持部２７は、矩形状をなす拡散板１６Ａの短辺方向に沿って直線的に並んで配置されているから、拡散板１６Ａを良好に支持することができる。【００６５】
また、支持部２７は、矩形状をなす拡散板１６Ａの長辺方向に沿って直線的に並んで配置されているから、拡散板１６Ａを良好に支持することができる。【００６６】
また、支持部２７は先細り状に形成されているから、支持部２７によって冷陰極管１５からの光が妨げられるのを回避することができる。【００６７】
また、支持部２７は表面が白色系の色とされているから、冷陰極管１５から発せられた光が支持部２７の表面にて反射されて拡散板１６Ａ側へ導くことが可能となるので、光の利用効率が良好なものとなる。【００６８】
また、支持部２７は、シャーシ１３に取り付けられる取付板２４を備え、この取付板２４には、冷陰極管１５を把持可能な光源把持部２６が、支持部２７の側方位置に設けられているから、支持部２７に冷陰極管１５を把持する機能を併せ持たせることができる。【００６９】
また、拡散板１６Ａには、冷陰極管１５が点灯するのに伴い、冷陰極管１５側へ反り変形するよう予反り処理が施されているから、拡散板１６Ａが逆向きに反り変形することがないので、支持部２７によって確実に拡散板１６Ａを支持することができる。【００７０】
しかも、予反り処理は、拡散板１６Ａの基材のうち冷陰極管１５側とは反対側の面を加熱処理したものであるから、拡散板１６Ａに他の部材を付加することなく予反り処理を行うことができ、拡散板１６Ａの製造コストの低減を図ることができる。【００７１】
＜実施形態２＞
本発明の実施形態２を図１３または図１４によって説明する。この実施形態２では、支持部の支持高さについて変更したものを示す。なおこの実施形態２では、上記した実施形態１と同様の構造、作用及び効果について重複する説明は省略する。【００７２】
このバックライト１０′では、図示は省略するが、シャーシ１３′に収容された冷陰極管１５′間の間隔が全て同じに設定されている。従って、支持部品２０′における取付板２４′の長さ寸法や、取付板２４′に対する光源把持部２６′及び係止部の形成位置が、支持部品２０′のシャーシ１３′への取付位置とは無関係に全て同じに設定されている。また、この実施形態２では、液晶パネル１１′の画面サイズが実施形態１よりも大きくなっており、そのため支持部品２０′の設置数も実施形態１より多くなっている。【００７３】
そして、図１３に示すように、支持部品２０′のうち、拡散板１６Ａ′の最も端寄りに配された支持部品２０′と、その支持部品２０′に対して隣り合う支持部品２０′とは、互いの支持部２７′の高さ寸法が同じで、同一形状の部品とされている。詳しくは、支持部品２０′のうち、拡散板１６Ａ′における４箇所の角部に最も近い４つの支持部品２０′に対して、長辺方向について隣り合う支持部品２０′の支持部２７′と、短辺方向について隣り合う支持部品２０′の支持部２７′とは、共に角部に最も近い４つの支持部品２０′と同じく、最も高位な高位支持部２７Ｈ′となっている。【００７４】
各冷陰極管１５′を点灯するのに伴い、拡散板１６Ａ′に反りが生じると、図１４に示すように、各支持部２７′が拡散板１６Ａ′の裏面に当接することで、反り形状に応じた支持高さでもって拡散板１６Ａ′が支持される。このとき、拡散板１６Ａ′は、中央側と比べて端側では反り度合いが小さくなる傾向にある。従って、本実施形態のように拡散板１６Ａ′の端側において、支持高さが同じ高位支持部２７Ｈ′が隣り合って配置されていても、良好に拡散板１６Ａ′を支持することができる。【００７５】
以上説明したように本実施形態によれば、支持部２７′のうち最も拡散板１６Ａ′の端寄りに設置された支持部２７′と、その支持部２７′と隣り合う支持部２７′とにおける拡散板１６Ａ′に対する支持高さが同じに設定されており、それらの支持部２７′を有する支持部品２０′同士が同一形状の部品とされているから、支持部品２０′の品種を削減することができ、もって製造コストの低減を図ることができる。【００７６】
＜他の実施形態＞
本発明は上記記述及び図面によって説明した実施形態に限定されるものではなく、例えば次のような実施形態も本発明の技術的範囲に含まれる。【００７７】
（１）支持部の形状については適宜に変更可能である。例えば、支持部を角錐型としたり、先端部の形状を丸めるようにしてもよい。また、支持部の径寸法（太さ）を全長にわたって一定とし、例えば支持部を円柱状や角柱状とすることも可能である。【００７８】
（２）１つの支持部品に複数の支持部が設けられたものも本発明に含まれる。その場合、各支持部の高さ寸法を異ならせたり、同一にすることもできる。【００７９】
（３）上記した実施形態１のように全ての支持部の高さ寸法を異ならせたものにおいて、冷陰極管間の間隔を全て同じにして等ピッチ配列としてもよい。同様に、実施形態２のように同じ高さの支持部を含むものにおいて、冷陰極管間の間隔を不等にした不等ピッチ配列としてもよい。【００８０】
（４）冷陰極管の配列について、等ピッチ配列と不等ピッチ配列とを組み合わせて、例えば光学部材の中央側においては等ピッチ配列であるものの、光学部材の端側においては不等ピッチ配列となるものも本発明に含まれる。【００８１】
（５）上記した各実施形態では、各冷陰極管が対称に配置される場合を示したが、各冷陰極管を非対称に配置するようにしたものも本発明に含まれる。【００８２】
（６）上記した各実施形態では、拡散板における最も端寄りに位置する高位支持部の先端部が反りが生じていない拡散板に対して非接触となる高さとされた場合を示したが、高位支持部の先端部がランプホルダやホルダの受け部とほぼ同じ高さに位置し、反りが生じていない拡散板に対して接触するような設定としたものも本発明に含まれる。【００８３】
（７）上記した各実施形態では、各冷陰極管間に支持部が介在して配置される場合を示したが、必ずしも全ての冷陰極管間に支持部を設置する必要はなく、部分的に支持部を省略したものも本発明に含まれる。【００８４】
（８）上記した各実施形態では、支持部品及び支持部がシャーシの底板においてジグザグ状に配置される場合を示したが、例えば格子状に配置するようにしたものも本発明に含まれる。【００８５】
（９）上記した各実施形態では、シャーシの底板において各支持部が対称に配置される場合を示したが、各支持部が非対称に配置されるものも本発明に含まれる。【００８６】
（１０）上記した各実施形態では、支持部を含む支持部品の表面の色が白色とされた場合を例示したが、必ずしも白色に限らず、例えば乳白色などの他の白色系の色に変更することも可能である。また、白色系以外の色としても構わない。【００８７】
（１１）上記した各実施形態では、冷陰極管を把持する光源把持部を支持部品に設けた場合を示したが、光源把持部を省略してもよい。【００８８】
（１２）上記した各実施形態では、支持部品に取付板が設けられた場合を示したが、取付板を省略するとともに、支持部の裏面に係止部を設けるようにして、シャーシへの取り付けを行うようにしてもよい。【００８９】
（１３）上記した各実施形態では、支持部が支持部品に一体成形された場合を示したが、支持部が支持部品の本体とは別体で製造され、組み付けにより一体化されるようにしてもよい。具体的には、支持部品の本体を共通構造とし、別途に成形する支持部についてのみ高さ寸法が異なるものを多品種にすれば、製造コストの低減を実現することが可能となる。支持部は、嵌め合わせなどの機械的な接合手段により支持部品の本体と一体化したり、接着剤などの化学的な接合手段により支持部品の本体と一体化することができる。【００９０】
（１４）上記した各実施形態では、拡散板に施す予反り処理として、拡散板を製造する工程で基材の片面側を加熱処理した場合を例示したが、それ以外の方法を用いるようにしてもよい。具体的には、次の（１５）、（１６）のようにすればよい。【００９１】
（１５）予反り処理の具体例としては、図１５に示すように、拡散板２８の基材２９のうち、液晶パネル側の面（冷陰極管側とは反対側の面）にビーズ３０からなる予反り処理層３１を形成し、その予反り処理層３１の線膨張係数を、冷陰極管側に配される基材２９の線膨張係数よりも小さく設定する。これにより、拡散板２８は、冷陰極管が点灯し、バックライト内部の温度が上昇したときに確実に冷陰極管側に反るように反り癖がつけられることになる。この予反り処理層３１は、所定の溶剤に多数のビーズ３０を混合させたものを基材２９の表面に塗布または滴下した後、溶剤を揮発させたり液切りすることで形成される。なお、上記以外にも、予反り処理層３１を基材２９のうち冷陰極管側の面に形成するとともに、冷陰極管側に配される予反り処理層３１の線膨張係数を、基材２９の線膨張係数よりも大きく設定してもよい。【００９２】
（１６）予反り処理の具体例としては、図１６に示すように、拡散板３２の基材３３のうち、液晶パネル側の面にシート材３４からなる予反り処理層３５を形成し、その予反り処理層３５の線膨張係数を、基材３３の線膨張係数よりも小さく設定する。これにより、上記（１５）と同様の予反り効果が得られる。予反り処理層３５は、合成樹脂製のシート材３４を基材３３の表面に対して貼り合わせることで形成され、貼り合わせに際しては、シート材３４と基材３３との間にアクリル系ＵＶ硬化型粘着剤やアクリル系感圧粘着剤などの接着層（図示せず）を形成すればよい。なお、上記以外にも、予反り処理層３５を基材３３のうち冷陰極管側の面に形成するとともに、冷陰極管側に配される予反り処理層３５の線膨張係数を、基材３３の線膨張係数よりも大きく設定してもよい。【００９３】
（１７）上記した各実施形態では、拡散板に予反り処理を施した場合を示したが、バックライトの設計によっては、予反り処理を施さなくても拡散板が冷陰極管側に反ると予測できる場合があり、そのような場合は予反り処理をしない拡散板を用いることができる。それ以外にも、例えば光学部材を部分的に液晶パネル側から押さえることで、拡散板を強制的に冷陰極管側へ反り変形させるようにした場合にも、予反り処理しない拡散板を用いることができる。【００９４】
（１８）上記した各実施形態では、光源として冷陰極管を例示した場合を例示したが、熱陰極管や蛍光管など他の種類の線状光源やＬＥＤなどの点状光源を光源としたものについても本発明は適用可能である。【００９５】
（１９）上記した各実施形態では、表示パネルとして液晶パネルを用いた液晶表示装置を例示したが、他の種類の表示パネルを用いた表示装置にも本発明は適用可能である。【００９６】
（２０）上記した各実施形態では、チューナーを備えたテレビ受信装置を例示したが、チューナーを備えない表示装置にも本発明は適用可能である。
【図１】
2008129724.tif 000003
【図２】
2008129724.tif 000004
【図３】
2008129724.tif 000005
【図４】
2008129724.tif 000006
【図５】
2008129724.tif 000007
【図６】
2008129724.tif 000008
【図７】
2008129724.tif 000009
【図８】
2008129724.tif 000010
【図９】
2008129724.tif 000011
【図１０】
2008129724.tif 000012
【図１１】
2008129724.tif 000013
【図１２】
2008129724.tif 000014
【図１３】
2008129724.tif 000015
【図１４】
2008129724.tif 000016
【図１５】
2008129724.tif 000017
【図１６】
2008129724.tif 000018
【手続補正書】
【提出日】平成21年9月3日(2009.9.3)
【手続補正１】
【補正対象書類名】特許請求の範囲
【補正対象項目名】全文
【補正方法】変更
【補正の内容】
【特許請求の範囲】
【請求項１】
画像を表示する表示パネルに光を照射する光源が収容されるシャーシと、光源から発せられる光の出射側に配される面状の光学部材と、前記シャーシに取り付けられて前記光学部材を前記光源側から支持可能な支持部とを備え、
前記支持部は、前記光学部材の面に対して点状をなし、その面内に複数分散して配置されるとともに、前記光学部材に対する支持高さが異なる低位支持部と高位支持部とを含んでおり、前記低位支持部が前記光学部材の中央側に、前記高位支持部が前記光学部材の端側に設置されており、
前記光源の点灯前において、前記光学部材と前記支持部との間にはクリアランスが形成されており、前記低位支持部と前記光学部材との間の当該クリアランスが、前記高位支持部と前記光学部材との間の当該クリアランスよりも大きい構成とされていることを特徴とする表示装置用照明装置。
【請求項２】
前記支持部が、前記光源の点灯後において、前記光学部材と接することを特徴とする請求項１に記載の表示装置用照明装置。
【請求項３】
前記光学部材が、前記光源の点灯後において、前記光源側に反り変形することを特徴とする請求項１または請求項２に記載の表示装置用照明装置。
【請求項４】
前記支持部は、前記光学部材の中央側から端側に行くに従って前記光学部材に対する支持高さが段階的に増加する設定とされている請求項１ないし請求項３のいずれか１項に記載の表示装置用照明装置。
【請求項５】
前記支持部は、ジグザグ状に配置されている請求項１ないし請求項４のいずれか１項に記載の表示装置用照明装置。
【請求項６】
前記光学部材が矩形状をなすものにおいて、前記支持部は、前記光学部材の短辺方向に沿って直線的に並んで配置されている請求項１ないし請求項５のいずれか１項に記載の表示装置用照明装置。
【請求項７】
前記光学部材が矩形状をなすものにおいて、前記支持部は、前記光学部材の長辺方向に沿って直線的に並んで配置されている請求項１ないし請求項６のいずれか１項に記載の表示装置用照明装置。
【請求項８】
前記支持部のうち、最も前記光学部材の端寄りに設置された支持部と、その支持部と隣り合う支持部とにおける前記光学部材に対する支持高さが同じに設定されている請求項１ないし請求項７のいずれか１項に記載の表示装置用照明装置。
【請求項９】
前記支持部は、先細り状に形成されている請求項１ないし請求項８のいずれか１項に記載の表示装置用照明装置。
【請求項１０】
前記支持部は、表面が白色系の色とされている請求項１ないし請求項９のいずれか１項に記載の表示装置用照明装置。
【請求項１１】
前記支持部は、前記シャーシに取り付けられる取付板を備え、この取付板には、前記光源を把持可能な光源把持部が、前記支持部の側方位置に設けられている請求項１ないし請求項１０のいずれか１項に記載の表示装置用照明装置。
【請求項１２】
前記光学部材には、前記光源が点灯するのに伴い、前記光源側へ反り変形するよう処理がなされている請求項１ないし請求項１１のいずれか１項に記載の表示装置用照明装置。
【請求項１３】
前記処理は、前記光学部材の基材のうち前記光源側とは反対側の面を加熱処理したものである請求項１２に記載の表示装置用照明装置。
【請求項１４】
前記処理は、前記光学部材の基材のうち前記光源側の面と反対側の面とのいずれか一方に対してビーズからなる予反り処理層を塗布により形成したものであり、その予反り処理層と前記基材のうち、前記光源側に配されるものの線膨張係数が、その反対側に配されるものの線膨張係数よりも大きくなる設定としたものである請求項１２に記載の表示装置用照明装置。
【請求項１５】
前記処理は、前記光学部材の基材のうち前記光源側の面と反対側の面とのいずれか一方に対してシート材からなる処理層を貼り付けて形成したものであり、その処理層と前記基材のうち、前記光源側に配されるものの線膨張係数が、その反対側に配されるものの線膨張係数よりも大きくなる設定としたものである請求項１２に記載の表示装置用照明装置。
【請求項１６】
請求項１ないし請求項１５のいずれか１項に記載の表示装置用照明装置と、この表示装置用照明装置の表側に配される表示パネルとからなる表示装置。
【請求項１７】
前記表示パネルは、一対の基板間に液晶を封入してなる液晶パネルとされる請求項１６に記載の表示装置。
【請求項１８】
請求項１６または請求項１７に記載された表示装置を備えるテレビ受信装置。
【国際調査報告】
2008129724.tif 000019
2008129724.tif 000020
2008129724.tif 000021
2008129724.tif 000022
2008129724.tif 000023